(57)【要約】【課題】  携帯機器の筐体であって、前面筐体と背面筐体にて内部モジュールを挟み込む構造を取らないことで、側面の分割面を大幅に削減し、落下や外力に対する側面強度を確保しつつ、緩衝材等を用いないため部品点数を削減した携帯機器を得る。【解決手段】  携帯機器の筐体を表面、裏面、側面にわたって分割するようにし、分割した開口部同士を突き合わせて接合することで内部モジュールを格納するため、側面での分割部分を減らすことで、側面の肉厚の増加や、補強リブを追加することなく筐体の強度を確保する。【選択図】  図１
2005130327.tif 000002
【特許請求の範囲】
【請求項１】
内部モジュールの一端を挿入する第一の開口部、前記内部モジュールの一端を自己の内部で固定する装着部、前記開口部付近に設けられた被接合部を有する第一の分割筐体と、
前記内部モジュールの他端を挿入する第二の開口部、前記内部モジュールの他端を自己の内部で固定する装着部、前記第二の開口部付近に設けられ前記被接合部と脱着可能に接合する接合部を有する第二の分割筐体とを備えたことを特徴とする携帯機器。
【請求項２】
二つ折り携帯機器の表示ユニットが前記第一の分割筐体および前記第二の分割筐体とを突き合わせて接合してなるものであることを特徴とする請求項１記載の携帯機器。
【請求項３】
二つ折り携帯機器の操作ユニットが前記第一の分割筐体および前記第二の分割筐体とを突き合わせて接合してなるものであることを特徴とする請求項１記載の携帯機器。
【発明の詳細な説明】
【技術分野】
【０００１】
本発明は、携帯機器の構造に関するものである。
【背景技術】
【０００２】
従来の携帯機器、例えば携帯電話機では、前面筐体と背面筐体とを有しており、それらを側面において結合させ内部モジュールを挟み込む構成にしている（例えば、特許文献１）。
【０００３】
【特許文献１】特開平１０−２５６７４６号公報
【発明の開示】
【発明が解決しようとする課題】
【０００４】
従来の携帯機器は前面筐体と背面筐体にて内部モジュールを挟み込む構造であり、側面全体に前面筐体と背面筐体の分割面が存在するため、落下や外力に対して側面強度を確保することが難しく、それを補うため筐体側面の肉厚を増やす、補強リブを設ける、緩衝材を追加する等の手段が必要であったが、筐体側面の肉厚を増加し、補強リブを設けることで電話機本体が大きくなり、また緩衝材を追加することにより、部品点数が増加するという問題点があった。
【０００５】
本発明は以上のような課題を解決するためになされたもので、落下および外力に対する強度を確保しつつ、小型化の可能な携帯機器を得ることを目的とする。
【課題を解決するための手段】
【０００６】
本発明に係る携帯機器は、内部モジュールの一端を挿入する第一の開口部、前記内部モジュールの一端を自己の内部で固定する装着部、前記開口部付近に設けられた被接合部を有する第一の分割筐体と、前記内部モジュールの他端を挿入する第二の開口部、前記内部モジュールの他端を自己の内部で固定する装着部、前記第二の開口部付近に設けられ前記被接合部と脱着可能に接合する接合部を有する第二の分割筐体とを備えるものである。
【発明の効果】
【０００７】
本発明に係る携帯機器は、内部モジュールの一端を挿入する第一の開口部、前記内部モジュールの一端を自己の内部で固定する装着部、前記開口部付近に設けられた被接合部を有する第一の分割筐体と、前記内部モジュールの他端を挿入する第二の開口部、前記内部モジュールの他端を自己の内部で固定する装着部、前記第二の開口部付近に設けられ前記被接合部と脱着可能に接合する接合部を有する第二の分割筐体とを備えるため、側面の肉厚の増加や、補強リブを追加することなく筐体の強度を確保することができるため、携帯機器の小型化、薄型化を図ることができ、また、緩衝材が不要となるため部品点数の削減を図ることができる。
【発明を実施するための最良の形態】
【０００８】
実施の形態１．
以下、本発明の実施の形態１について説明する。図１（ａ）は本発明の実施の形態１に係る携帯電話機の正面図である。また、図１（ｂ）は同側面図である。図２は携帯機器の表示ユニット１の縦断面図、また、図３は同横断面図である。
図１（ａ）において、４ａは表示ユニット１の上部筐体、４ｂは操作ユニット２の上部筐体である。５ａは表示ユニット１の下部筐体、５ｂは操作ユニット２の下部筐体である。表示ユニット１は上部筐体４ａと下部筐体５ａとを接合面３ａにおいて突き合わせてネジやツメ等で固定する構成となっている。図２（ａ）は図１（ａ）の線ＡＡ’における断面図である。表示ユニット１は大きく分けて上部筐体４ａ、下部筐体５ａおよび、内部モジュール６ａから構成されている。内部モジュール６ａは内部筐体１３とこの内部筐体１３に装着されたレシーバ９、スピーカ１０、裏面ＬＣＤ１１、表面ＬＣＤ１２等から構成されている。図２（ａ）では、上部筐体４ａと下部筐体５ａ以外の太線で囲われたエリアの内側が内部モジュール６ａである。内部筐体１３の上下端部の表裏両面には上部筐体または下部筐体に挿入する方向に沿って、上部ガイド７ａ、および下部ガイド７ｂがそれぞれ設けられている。そして、これらの上部ガイド７ａは上部筐体４ａの内表面に設けられた上部ガイドリブ８ａと対になって嵌り合う構成となっており、同様に、下部ガイド７ｂは下部筐体５ａの内表面に設けられた下部ガイドリブ８ｂと対になって嵌り合う構成となっている。
【０００９】
図２（ｂ）は上部筐体４ａへの内部モジュール６ａの挿入方法を示した図である。内部モジュール６ａを構成するスピーカ、ＬＣＤ等の配置は省略し外形のみ示す。この図に示したとおり、下部筐体５ａにあらかじめ構成済みの内部モジュール６ａを挿入すると、内部モジュール６ａの下部端面付近に設けられた下部ガイド７ｂと下部筐体５ａに設けられた下部ガイドリブ８ｂとが嵌りあって内部ユニットの筐体内部での位置を固定する。
【００１０】
図３は図１（ａ）における線ＢＢ’における断面図である。上部の上部ガイド７ａおよび上部ガイドリブ８ａは筐体の両側裏表面にそれぞれ計４つ設けられ、互いに嵌り合うことで筐体内部での揺動を抑制する。また、図示していないが下部ガイド７ｂおよび下部ガイドリブ８ｂも同様である。
【００１１】
図２（ａ）および（ｂ）において、下部ガイド７ｂと下部ガイドリブ８ｂとが完全に嵌り合わせたら、上部筐体４ａを接合面３ａにおいて下部筐体５ａと突き合わせる。上部筐体４ａは下部筐体５ａにツメ１９によって保持されるが、さらに、上部筐体４ａ、下部筐体５ａ双方に重なり合うように設けられたネジ穴にネジ１７を挿入し、内部筐体１３に設けられたネジボス１８に螺着することで、上部筐体４ａ、下部筐体５ａ、内部モジュール６ａとを一体に固定する。
【００１２】
表示窓１５は防塵用のクッション（もしくはラバー）１６を備えており、上部筐体４ａと下部筐体５ａを組み立てた後に貼り付けられる。
【００１３】
以上のように、筐体を表面と裏面に分割するのではなく、表面、裏面、および両側面にわたって分割するように構成し、これら分割した筐体同士を係止するようにしたことで、側面における分割部を大幅に減らすことができる。そのため筐体側面の肉厚、補強リブが不要となり小型化、薄型化することができ、また、筐体側面に設けていた緩衝材が不要となることで、さらに部品削減も図ることができる。
【００１４】
特に、昨今の２つ折り携帯電話機は既にかなりの薄型化が図られているが、側壁については肉厚が約１．５ｍｍとなっている。本発明を２つ折り携帯電話機に適用した場合は、側面の肉厚を約１．０ｍｍとすることができるため、両側面合わせて約１ｍｍの更なる薄型化が見込める。
【００１５】
実施の形態２．
上記では表示ユニットを上部筐体４ａ、下部筐体５ａとに分割する場合について示したが、本実施の形態２では同様に操作ユニットについても上部筐体４ｂ、下部筐体５ｂとに分割する構成について示す。図４は操作ユニットの図１（ａ）中の線ＣＣ’における断面図である。
【００１６】
２０はキーボタン、２１はキーボタン２０を保持する蓋である。２２はキーボタン２０が有する穴である。キーボタン部２０は蓋２１にある位置決めピン２３を穴２２に通すことで蓋２１に取り付けられる。２４は下部筐体５ｂのキーボタン２０ならびに蓋２１が取り付けられる開口部、２５は蓋２１を下部筐体５ｂに取り付けるためのツメ、２６はバッテリ、２７はバッテリカバー、２８はツメ２５が下部筐体５ｂに取り付けられるときに嵌合する下部筐体５ｂに設けられた嵌合部である。
【００１７】
また、図５は図１（ａ）中の線ＤＤ’における断面図である。図６は蓋２１とキーボタン２０と上下筐体の構造を示す図である。上下筐体が嵌合した状態で、表面に開口部２４が設けられており、そこにキーボタン２０を装着した蓋２１を嵌めることで操作ユニットが構成される。
【００１８】
図４に示したように、内部モジュール６ｂ下部の側部両端にはガイドリブ８ｃが設けられている。このガイドリブ８ｃと内部モジュール６ｂの側面とから形成されるガイド７ｂに、下部筐体５ｂの内部下端に設けられた下部ガイドリブ８ｂと嵌り合うことで下部筐体５ｂに装着される。図４では操作ユニット２の下部のみ示したが、図５に示した通り、上部筐体４ｂおよび内部モジュール６ｂ上端の構成も同様である。上部筐体４ｂに下部筐体５ｂに装着された内部モジュール６ｂの上部を圧入して組み立てた後、図６に示したように、キーボタン２０はキーボタンの穴２２に蓋２１の位置決めピン２３を挿入して取り付け、さらにツメ２５と嵌合部２８を嵌合することにより下部筐体５ｂもしくは上部筐体４ｂの開口部２４に取り付ける。上記では、上下筐体の結合にツメのみを用いる構造としたが、その他、表示ユニットでネジを用いて固定したように、ネジを用いて固定してもよい。
【００１９】
以上のように、本実施の形態２では、上記実施の形態１と同様に操作ユニットについても筐体を表面と裏面に分割するのではなく、表面、裏面、および両側面にわたって分割するように構成し、これら分割した筐体同士を係止するようにしたことで、側面における分割部を大幅に減らすことができる。そのため筐体側面の肉厚、補強リブが不要となり小型化、薄型化することができ、また、筐体側面に設けていた緩衝材が不要となることで、さらに部品削減も図ることができる。
【産業上の利用可能性】
【００２０】
本発明は、携帯機器の筐体を表面、裏面、側面にわたって分割するようにし、側面での分割部分を減らす構成としたため、小型化、薄型化、および部品点数を削減した携帯機器に適用できる。
【図面の簡単な説明】
【００２１】
【図１】（ａ）本発明に係る二つ折り携帯電話機の一実施の形態の本体の開状態上面図、（ｂ）二つ折り携帯電話機本体側面図である。
【図２】（ａ）線ＡＡ’における表示ユニットの断面図、（ｂ）上部筐体、下部筐体への内部モジュールの格納方法を示す図である。
【図３】線ＢＢ’における表示ユニットの断面図である。
【図４】線ＣＣ’における操作ユニットの断面図である。
【図５】線ＤＤ’における操作ユニットの断面図である。
【図６】上下筐体、蓋、キーボタンの構造を示す図である。
【符号の説明】
【００２２】
１  表示ユニット、    ２  操作ユニット、    ３ａ、３ｂ  接合面、
４ａ、４ｂ  上部筐体、    ５ａ、５ｂ  下部筐体、    ６ａ、６ｂ  内部ユニット、
７ａ、７ｂ  ガイドリブ、    ８ａ、８ｂ、８ｃ  ガイド、    ９  レシーバ、
１０  スピーカ、    １１  裏面ＬＣＤ、    １２  表面ＬＣＤ、
１３  内部筐体、    １５  表面表示窓、
１６  クッション、    １７  ネジ、    １８  ボス、    １９  ツメ、
２０  キーボタン、    ２１  蓋、    ２２  穴、    ２３  位置決めピン、
２４  開口部、    ２５  ツメ、    ２６  バッテリ、    ２７  バッテリ蓋、
２８  嵌合部、
１０１  前面筐体、    １０２  背面筐体、    １０３  係止部、
１０４  係止部、    １０５  ネジ穴、    １０６  被係止部、
１０７  被係止部、    １０９  ネジ、    １１０  側壁、
１１１  補強リブ、    １１２  緩衝材。
【図１】
2005130327.tif 000003
【図２】
2005130327.tif 000004
【図３】
2005130327.tif 000005
【図４】
2005130327.tif 000006
【図５】
2005130327.tif 000007
【図６】
2005130327.tif 000008